(57)【要約】      （修正有）【課題】小さく折畳むことができて携行に容易であり、かつ商品等を収容できる容量が大きい手提袋を得ようとするものである。【解決手段】共に強靭な布製の前面材１０及び背面材２０を有し、これらの材料は上端から切込まれた中央切込と両側切込１２ｃ、２２ｂ、２２ｃの間に形成された、提手部１３ａ、１３ｂ及び２３ａ、２３ｂを有し、これら提手部１３ａと２３ａ及び１３ｂと２３ｂとはそれぞれ上端同士が互に縫合され、前面材１０及び背面材２０は両側縁同士が筒状に縫合されると共にそれらの下端が内方に引込まれて角底３４を形成し、前面材１０の中央切込１２ａの下方外面に釦１４が取付けられ、背面材２０の中央切込の下方内面にポケット２４が取付けられ、ポケット２４の下端から釦１４に係合するループが垂下する。【選択図】図４
0003137858.tif 000002
【実用新案登録請求の範囲】
【請求項１】
強靭で可撓性に富み上端中央から下方へ切込まれた中央切込とこの中央切込の両側に提手部を挟んで切込まれた両側切込とを有する前面材及び背面材を重ね合わせて、その両側縁及び下縁で上記前面材及び背面材を結合すると共に、上記両側の提手部の上端同士を結合し、上記前面材の外表面における中央切込の下方に係止具を設け、上記背面材の内面の中央切込附近より下方へポケットを垂下させ、このポケットの下縁に上記係止具に係合するループを設けてなる折畳可能な手提袋。
【請求項２】
請求項１に記載の手提袋において、上記前面材及び背面材の上記提手部と中央及び両側切込とが存在する上部の内面に補強材が重ねられていることを特徴とする折畳可能な手提袋。
【請求項３】
請求項１または２に記載の手提袋において、上記前面材及び背面材の双方の両下縁が袋底部に縫込まれて角底が形成されていることを特徴とする折畳可能な手提袋。
【考案の詳細な説明】
【技術分野】
【０００１】
本考案は布または合成樹脂のシートによって作られた手提袋にかかり、商店での買い物などに使用しない場合は、小さく折畳んで鞄や衣服のポケットなどに収納できるようにしたものである。
【背景技術】
【０００２】
商店等の買い物では、最近まで合成樹脂シート製のレジ袋に入れて提供されていた。しかし近年資材の節減が叫ばれて買い物袋の使用が推奨され、レジ袋の費用を請求する商店も現れている。従って各人が手提袋を携行する風潮になりつつある。
【考案の開示】
【考案が解決しようとする課題】
【０００３】
本考案は、比較的大容量で小さく折畳むことが容易な手提袋にかかり、各人が鞄やハンドバックや衣服のポケット等に収容して携行し易くすることを目的とする。
【課題を解決するための手段】
【０００４】
本考案の手提袋は、略同形の前面材及び背面材よりなり、材質としては織布、不織布、合成樹脂シート、合成樹脂引布等、強靭な可撓性材料が用いられる。前面材及び背面材は、何れも上端中央より下方へ切込まれた中央切込と上端の両側から下方へ切込まれた両側切込とを有し、中央切込と両側切込との間にそれぞれ提手部が存在する。前面材の表面の中央切込の若干下方には釦などの係止具が設けられ、背面材の裏面の中央切込の若干下方には袋状のポケットが設けられ、ポケットの下縁には上記係止具に係合する紐などのループが設けられている。
【０００５】
前面材と背面材とは、互にその表面同士を接触した状態で重ね合わされ、双方の提手部の上端同士が互に結合され、かつ両側縁同士及び下縁同士も袋状に結合される。この袋を裏返すことにより結合の縫代部分が袋の内面にかくれる。
【考案の効果】
【０００６】
上記の袋は提手部を使用して、手提袋として利用でき、不用の折はポケットを上方へ引出し、ポケットの両側附で縦に折曲げ、下方から巻くように折畳み、最後にポケット下端のループを前面材の釦等に係止することによって、鞄等や衣服のポケット等に収納するに適した形状及び寸法になる。
【考案を実施するための最良の形態】
【０００７】
本考案に使用する材料には前述のように強靭で可撓性をもった各種の材料が挙げられるが織布が最適である。そしてその前面材及び背面材は、提手部及びその両側の切込の周辺に補強布を縫着することが望ましい。また前面材及び背面材はその両側縁同士を縫着した後、縦に三つに折畳み、折畳んだ状態で下縁を一挙に縫着することが望ましく、これにより縫着した袋を裏返した際に袋の底部が長方形になって、角筒状の手提袋を得ることができる。
【実施例】
【０００８】
本考案の手提袋は、図１及び図２にそれぞれ示す前面材１０及び背面材２０よりなり、これらの材料には厚地の布が使用されている。図１に示すように、前面材１０の上部裏面には厚地の布よりなる補強材１１が重ねられ、これら前面材１０及び補強材１１は、上端中央より下方へ向う中央切込１２ａと上端両側から下方へ向う両側切込１２ｂ、１２ｃとを有し、両者は切込１２ａ、１２ｂ、１２ｃの縁部で互に縫着され、切込１２ａと１２ｂ及び１２ａと１２ｃとの間と提手部１３a及び１３ｂをそれぞれ有している。１４は前面材１０の表面における中央切込１２ａの若干下方に縫付けられた釦である。
【０００９】
図２に示すように、背面材２０の上部裏面にも同様に厚地の布よりなる補強材２１が重ねられ、これらの上端から下方へ向って中央の中央切込２２ａとその両側の両側切込２２ｂ及び２２ｃとが形成され、中央切込２２ａと両側切込２２ｂ、２２ｃとの間に提手部２３ａ、２３ｂがそれぞれ存在し、背面材２０と補強材２１とは切込２２ａ、２２ｂ、２２ｃの縁部で互に縫着されている。補強材２１の中央下端には表裏２枚の布で形成されたポケット２４の上縁が縫着され、ポケット２４の下縁からは下方に紐で形成されたループ２５が垂下している。ポケット２４の上縁近傍には、ポケット内外を開閉するスライドファスナ２６が設けられている。
【００１０】
前面材１０と背面材２０とは、双方の表面同士を接触させた状態、即ち図１の上に図２を載せた形で重ねられ、点線３０ａ及び３０ｂで示すように両側縁が互に縫合され、かつ提手部１３ａと２３ａ及び１３ｂと２３ｂの上端同士も点線３１ａ及び３１ｂのように互に縫合される。
次に、このように縫合された各部材の両側を鎖線３２ａ、３２ｂに沿って図３に示すように背面２０の方向に折畳み、その下縁を図３に点線３３で示すように縫合する。
【００１１】
上述の各部分の縫合を終ったら、図４に示すように底部３４を長方形に折畳みながら前面材１０及び背面材２０の表裏を翻転して手提袋が完成する。この手提袋は角筒状であるため容量が大きい。
【００１２】
この手提袋を使用しないときは底部３４を直線状に引伸ばし、図５に示すようにポケット２４を上方へ引出して両側を背面側に折畳み、図６ａに示す矢印３５、３６、３７のように下部から順に畳み、次に上部を矢印３８のように畳んで図６ｂに示す形態とする。そこで図６ｃのようにポケット２４の下端のループ２５を裏側に廻して釦１４に掛けて留める。このように折畳んだ手提袋は非常にコンパクトであるため、鞄類や衣服のポケットに収納して随時使用することが可能になる。
【図面の簡単な説明】
【００１３】
【図１】本考案の手提袋の前面材の表面図である。
【図２】上記手提袋の背面材の裏面図である。
【図３】上記手提袋の製作過程の裏面図である。
【図４】上記手提袋の完成状態を示し、ａは正面図、ｂは側面図、ｃは平面図である。
【図５】上記手提袋の縦に畳んだ状態を示し、ａは裏面図、ｂは表面図である。
【図６】上記手提袋の折畳過程を示し。ａは折畳順序の説明図、ｂは折畳んだ手提袋の裏面図、ｃはその表面図である。
【符号の説明】
【００１４】
１０    前面材
１１    補強材
１２ａ  中央切込
１２ｂ  両側切込
１２ｃ  両側切込
１３ａ  提手部
１３ｂ  提手部
１４    釦
２０    背面材
２１    補強材
２２ａ  中央切込
２２ｂ  両側切込
２２ｃ  両側切込
２３ａ  提手部
２３ｂ  提手部
２４    ポケット
２５    ループ
２６    ファスナ
３０ａ  縫合線
３０ｂ  縫合線
３１ａ  縫合線
３１ｂ  縫合線
３２ａ  折曲線
３２ｂ  折曲線
３３    縫合線
３４    角底
３５    折畳方向
３６    折畳方向
３７    折畳方向
３８    折畳方向
【図１】
0003137858.tif 000003
【図２】
0003137858.tif 000004
【図３】
0003137858.tif 000005
【図４】
0003137858.tif 000006
【図５】
0003137858.tif 000007
【図６】
0003137858.tif 000008